(57)【要約】【課題】容器本体からのキャップの着脱と、キャップ着脱前後のキャップ付き容器の使用とを片手で容易に行うことができるキャップ付き容器を提供することである。【解決手段】内容物を吐出する筒状の吐出部２ｂを備えた容器本体２と、天壁３ｂおよび該天壁３ｂから突出して吐出部２ｂの外周に嵌合する栓部３ｄを備え、該栓部３ｄに吐出部２ｂを押し込むことにより容器本体２に着脱自在に取り付けられるキャップ３とを有するキャップ付き容器１において、天壁３ｂを栓部３ｄとは反対側を向く面が凹面３ｈとなり、吐出部２ｂの押し込み方向に弾性変形自在の凹形状に形成し、凹面３ｈに、天壁３ｂの外周縁３ｃと栓部３ｄに対応する位置との間で、該凹面３ｈから外周縁３ｃよりも低い高さで突出する少なくとも１つの突起５を設ける。【選択図】図１
2013230838.tif 000002
【特許請求の範囲】
【請求項１】
内容物を吐出する筒状の吐出部を備えた容器本体と、天壁および該天壁から突出し前記吐出部の外周に嵌合する栓部を備え、該栓部に前記吐出部を押し込むことにより前記容器本体に着脱自在に取り付けられるキャップと、を有するキャップ付き容器であって、
前記天壁は、前記栓部とは反対側を向く面が凹面となり、前記吐出部の押し込み方向に弾性変形自在の凹形状に形成され、
前記凹面には、前記天壁の外周縁と前記栓部に対応する位置との間で、該凹面から前記外周縁よりも低い高さで突出する少なくとも１つの突起が設けられることを特徴とするキャップ付き容器。
【請求項２】
前記突起は、一部が切り欠かれた環状に形成されることを特徴とする請求項１記載のキャップ付き容器。
【請求項３】
リブ形状に形成された複数の前記突起を周方向に間隔を空けて並べて設けたことを特徴とする請求項２記載のキャップ付き容器。
【請求項４】
半球形状に形成された複数の前記突起を周方向に間隔を空けて並べて設けたことを特徴とする請求項２記載のキャップ付き容器。
【請求項５】
前記栓部の外側に配置されて前記天壁の外周縁に連なる側壁と、前記天壁の外周縁に連なり前記側壁の外側に突出するフランジ壁とを、前記キャップに一体に設けたことを特徴とする請求項１〜４の何れか１項に記載のキャップ付き容器。
【請求項６】
内容物を吐出する筒状の吐出部を備えた容器本体と、天壁および該天壁から突出し前記吐出部の外周に嵌合する栓部を備え、該栓部に前記吐出部を押し込むことにより前記容器本体に着脱自在に取り付けられるキャップと、を有するキャップ付き容器であって、
前記天壁には、前記栓部とは反対側を向く面が凹面となり、前記吐出部の押し込み方向に弾性変形自在の凹形状に形成された吸着壁が設けられ、
前記凹面には、前記吸着壁の外周縁と、前記吸着壁の前記天壁への連結部分に対応する位置との間で、該凹面から前記外周縁よりも低い高さで突出する少なくとも１つの突起が設けられることを特徴とするキャップ付き容器。
【発明の詳細な説明】
【技術分野】
【０００１】
本発明は、内容物を収容する容器本体に、その吐出部を閉塞するキャップが着脱自在に取り付けられてなるキャップ付き容器に関する。
【背景技術】
【０００２】
従来から、内容物を収容する容器本体と、容器本体に着脱自在に取り付けられるキャップとを有し、吐出部から内容物を吐出させるとともに、使用後には、容器本体にキャップを取り付けて吐出部を閉塞するようにしたキャップ付き容器が知られている。
【０００３】
このようなキャップ付き容器の容器本体には種々の内容物が収容されるが、例えば歯磨きペーストやゲル状の化粧料など、比較的粘度の高い流動性の内容物を収容する場合には、倒立タイプのキャップ付き容器が多く用いられる。倒立タイプのキャップ付き容器は、不使用時にキャップを下方に向けた倒立姿勢で保管することができるものであり、保管中に内容物が自重で吐出部に集まるので、歯磨きペーストのような比較的粘度の高い流動性の内容物でも、キャップを開けてすぐに吐出させることができる。
【０００４】
ところで、このようなキャップ付き容器では、内容物を吐出させるためには、キャップを容器本体から取り外す必要がある。その際、片方の手で容器本体を保持しつつ他方の手でキャップを取り外す必要があるので、内容物を吐出させる対象物を片方の手に持つなど、両手が空いていない場合には、キャップを開けるのは困難である。
【０００５】
そこで、例えば特許文献１に示される容器では、倒立タイプに構成されたキャップ付き容器のキャップの天面に吸着盤を設け、この吸着盤をテーブル等の平坦面に吸着させることにより、キャップを当該平坦面に保持させて、片手でキャップの着脱を行い得るようにしている。
【先行技術文献】
【特許文献】
【０００６】
【特許文献１】特開２００７−３０２２９４号公報
【発明の概要】
【発明が解決しようとする課題】
【０００７】
しかしながら、特許文献１に記載される従来の容器では、キャップを平坦面に吸着させることにより、片手でキャップの着脱を行うことはできるが、使用後にキャップを閉じて容器を保管場所等に移動させる際には、片方の手だけではキャップを平坦面から取り外すことができないという問題があった。
【０００８】
本発明は、上記の問題を解決することを課題とし、キャップを平坦面に吸着させて片手でキャップの着脱を行うことができるとともに、使用後に、平坦面に吸着したキャップを片手で平坦面から取り外すことができるキャップ付き容器を提供することを目的とする。
【課題を解決するための手段】
【０００９】
本発明のキャップ付き容器は、内容物を吐出する筒状の吐出部を備えた容器本体と、天壁および該天壁から突出し前記吐出部の外周に嵌合する栓部を備え、該栓部に前記吐出部を押し込むことにより前記容器本体に着脱自在に取り付けられるキャップと、を有するキャップ付き容器であって、前記天壁は、前記栓部とは反対側を向く面が凹面となり、前記吐出部の押し込み方向に弾性変形自在の凹形状に形成され、前記凹面には、前記天壁の外周縁と前記栓部に対応する位置との間で、該凹面から前記外周縁よりも低い高さで突出する少なくとも１つの突起が設けられることを特徴とする。
【００１０】
本発明のキャップ付き容器は、前記突起は、一部が切り欠かれた環状に形成されることを特徴とする。
【００１１】
本発明のキャップ付き容器は、リブ形状に形成された複数の前記突起を周方向に間隔を空けて並べて設けたことを特徴とする。
【００１２】
本発明のキャップ付き容器は、半球形状に形成された複数の前記突起を周方向に間隔を空けて並べて設けたことを特徴とする。
【００１３】
本発明のキャップ付き容器は、前記栓部の外側に配置されて前記天壁の外周縁に連なる側壁と、前記天壁の外周縁に連なり前記側壁の外側に突出するフランジ壁とを、前記キャップに一体に設けたことを特徴とする。
【００１４】
本発明のキャップ付き容器は、内容物を吐出する筒状の吐出部を備えた容器本体と、天壁および該天壁から突出し前記吐出部の外周に嵌合する栓部を備え、該栓部に前記吐出部を押し込むことにより前記容器本体に着脱自在に取り付けられるキャップと、を有するキャップ付き容器であって、前記天壁には、前記栓部とは反対側を向く面が凹面となり、前記吐出部の押し込み方向に弾性変形自在の凹形状に形成された吸着壁が設けられ、前記凹面には、前記吸着壁の外周縁と、前記吸着壁の前記天壁への連結部分に対応する位置との間で、該凹面から前記外周縁よりも低い高さで突出する少なくとも１つの突起が設けられることを特徴とする。
【発明の効果】
【００１５】
本発明によれば、凹形状に形成されたキャップの天壁によりキャップをテーブル等の平坦面に吸着させることができるので、片手でキャップの着脱を行うことができる。また、平坦面に吸着したキャップの栓部に容器本体の吐出部を押し込むことにより、突起を支点として天壁の外周縁を平坦面から離し、キャップの平坦面への吸着を解除することができるので、使用後に、平坦面に吸着したキャップを片手で平坦面から取り外すことができる。
【図面の簡単な説明】
【００１６】
【図１】本発明の一実施の形態であるキャップ付き容器の一部切り欠き断面図である。
【図２】図１に示すキャップの斜視図である。
【図３】図２に示す突起の変形例を示す斜視図である。
【図４】キャップ付き容器を平坦面上に倒立姿勢で配置した状態を示す一部切り欠き断面図である。
【図５】平坦面に吸着したキャップから容器本体を取り外した状態を示す一部切り欠き断面図である。
【図６】キャップの栓部に容器本体の吐出部を押し込んだ状態を示す一部切り欠き断面図である。
【図７】本発明の他の実施の形態であるキャップ付き容器の一部切り欠き断面図である。
【発明を実施するための形態】
【００１７】
以下、本発明の実施の形態を図面に基づいて詳細に説明する。
【００１８】
図１に示すように、本発明の一実施の形態であるキャップ付き容器１は、容器本体２とキャップ３とを有している。
【００１９】
容器本体２は、ＰＥ（ポリエチレン）やＰＰ（ポリプロピレン）、ＰＥＴ（ポリエチレンテレフタラート）等の合成樹脂製となっており、可撓性を有する有底円筒状のボトルに形成されている。容器本体２の一端には略円錐形の端壁２ａが設けられ、端壁２ａの中心部分には、内容物を吐出するための吐出部２ｂが一体に設けられている。吐出部２ｂは円筒状に形成され、端壁２ａから容器本体２の軸方向に向けて突出しており、その開口は容器本体２の内部に連通している。この容器本体２には、例えば歯磨きペーストやゲル状化粧料など、比較的粘度の高い流動性の内容物（不図示）が収容される。
【００２０】
キャップ３は、ＰＰ（ポリプロピレン）等の合成樹脂材料により底付き円筒状に形成されている。キャップ３の側壁３ａは円筒状に形成されており、その外径は容器本体２の外径と同等とされている。また、キャップ３の天壁３ｂは円形に形成され、その外周縁３ｃにおいて側壁３ａの一端に連ねられている。
【００２１】
キャップ３の内側つまり側壁３ａの内周側には円筒状の栓部３ｄがキャップ３と一体に設けられている。この栓部３ｄは側壁３ａと同心に配置され、天壁３ｂの内面から突出している。栓部３ｄの内径寸法は、吐出部２ｂの外径寸法よりも僅かに大きくされており、栓部３ｄを吐出部２ｂの外周に嵌合させることにより、吐出部２ｂの開口が閉塞されるようになっている。
【００２２】
吐出部２ｂの開口には、ゴム等の可撓性を有する材料により形成されたスリットバルブ２ｃが中栓として取り付けられている。このスリットバルブ２ｃの開口（不図示）はスリット状に形成されており、倒立姿勢で容器本体２がキャップ３から取り外されたときに、吐出部２ｂからの内容物の漏れ出しを防止する。キャップ３から取り外された状態で容器本体２が絞られる（スクイズされる）と、スリット状の開口が開いて、内容物を吐出することができ、容器本体２の絞り（スクイズ）が解除されると、スリット状の開口が閉じて、吐出部２ｂからの内容物の漏れ出しが防止される。天壁３ｂの中心部分には栓部３ｄと同一方向に向けて窪む窪み部３ｅが形成されている。栓部３ｄが吐出部２ｂの外周に嵌合されると、窪み部３ｅがスリットバルブ２ｃに押し当てられ、スリットバルブ２ｃのスリット状の開口が僅かに開かれて、保管中における当該開口の固着が防止される。
【００２３】
栓部３ｄの内周面には円環状の係合溝３ｆが設けられ、吐出部２ｂの外周面には円環状の係合突起２ｄが設けられている。栓部３ｄが吐出部２ｂに押し込まれると、栓部３ｄの係合溝３ｆと吐出部２ｂの係合突起２ｄとが係合し、栓部３ｄが吐出部２ｂに保持される。つまり、栓部３ｄを吐出部２ｂに押し込むことにより、栓部３ｄの係合溝３ｆと吐出部２ｂの係合突起２ｄとを係合させて、キャップ３を容器本体２に取り付けることができる。また、容器本体２に取り付けられたキャップ３を押し込み方向とは反対側に引くことにより、栓部３ｄの係合溝３ｆと吐出部２ｂの係合突起２ｄとの係合を解除して、キャップ３を容器本体２から取り外すことができる。このように、キャップ３は容器本体２に着脱自在に取り付けられる。
【００２４】
キャップ３にはフランジ壁３ｇが一体に設けられている。フランジ壁３ｇは天壁３ｂの外周縁３ｃに連なり、側壁３ａに対してその径方向外側に向けて突出している。このフランジ壁３ｇを設けることにより、キャップ３の径方向寸法を拡大して、キャップ付き容器１の倒立姿勢における安定性を高めることができる。
【００２５】
本発明のキャップ付き容器１では、キャップ３をテーブル等の平坦面４に吸着させることを可能とするために、天壁３ｂを吸着盤として構成するようにしている。すなわち、天壁３ｂは、その中心部分（窪み部３ｅが設けられた部分）が最深部となるように、側壁３ａの内側に向けて凹んだ凹形状に形成されている。つまり、天壁３ｂは、栓部３ｄが設けられる（キャップ３の内側となる）内面とは反対側を向く外面が凹面３ｈとなるように湾曲した凹形状となっている。天壁３ｂは、側壁３ａに連なる外周縁３ｃを支点として、吐出部２ｂの栓部３ｄに対する押し込み方向つまり湾曲度合いを増減させる方向に弾性変形自在となっている。
【００２６】
天壁３ｂの凹面３ｈには、４つの突起５が設けられている。図２に示すように、これらの突起５は、天壁３ｂの外周縁３ｃと栓部３ｄに対応する位置との間、つまり外周縁３ｃよりも内側であって栓部３ｄに対応する位置よりも外側の環状の範囲において凹面３ｈ上に配置されている。ここで、凹面３ｈの栓部３ｄに対応する位置よりも外側とは、凹面３ｈの、その裏側に栓部３ｄが設けられる部分よりも外側のことである。
【００２７】
これらの突起５は、それぞれ凹面３ｈの周方向に沿って延びるリブ形状に形成されており、互いに周方向に所定の間隔を空けて並べて配置されている。つまり、これらの突起５は、環状のリブを周方向に等間隔に４箇所で切り欠いた構成となっている。なお、４つの突起５の形状は全て同一であり、隣り合う突起５の間隔も同一である。また、それぞれの突起５は、その凹面３ｈからの突出高さが、天壁３ｂの外周縁３ｃよりも低くされている。つまり、突起５の凹面３ｈからの突出高さは、当該突起５の先端が、天壁３ｂの外周縁３ｃを通る平面にまで達しない高さに設定されている。
【００２８】
なお、突起５は、図２に示すリブ形状のものに限らず、例えば図３に示すように、半球形状に形成されたものであってもよい。図３には、半球形状の８個の突起５を、周方向に等間隔に隙間を空けて並べて配置した例を示す。図３に示す構成においても、突起５は天壁３ｂの外周縁３ｃと栓部３ｄに対応する位置との間に配置され、その凹面３ｈからの突出高さは天壁３ｂの外周縁３ｃよりも低くされる。
【００２９】
次に、このようなキャップ付き容器１の作用について説明する。
【００３０】
このキャップ付き容器１では、キャップ３が容器本体２と同等の外径寸法に形成され、また、キャップ３にフランジ壁３ｇが設けられるので、不使用時等には、このキャップ付き容器１を、キャップ３（吐出部２ｂ）を下側とした倒立姿勢でテーブル等の平坦面４に配置し、保管することができる。
【００３１】
図４に示すように、キャップ付き容器１を、キャップ３を下側とした倒立姿勢でテーブル等の平坦面４に配置すると、天壁３ｂの外周縁３ｃが平坦面４に当接し、天壁３ｂと平坦面４との間に空間Ｓが形成される。そして、容器本体２や内容物の重量が吐出部２ｂを介してキャップ３の栓部３ｄに加えられ、または容器本体２が手でキャップ３に向けて押されること等により、天壁３ｂが当該空間Ｓを狭める方向に弾性変形すると、空間Ｓ内の空気が外部に押し出され、空間Ｓが負圧となって天壁３ｂが平坦面４に吸着する。つまり、キャップ付き容器１を倒立姿勢で平坦面４に配置すると、天壁３ｂが吸着盤として機能して、キャップ３は平坦面４に吸着する。
【００３２】
栓部３ｄの係合溝３ｆと吐出部２ｂの係合突起２ｄとの係合によるキャップ３の容器本体２への保持力は、天壁３ｂによる平坦面４への吸着力よりも小さくされているので、図５に示すように、キャップ３を平坦面４に吸着させた状態で、容器本体２を上方に引き上げることにより、キャップ３を容器本体２から取り外すことができる。つまり、凹形状に形成された天壁３ｂを平坦面４に吸着させることにより、キャップ３を平坦面４に保持させて、片手で容器本体２を保持してキャップ３を取り外すことができる。
【００３３】
キャップ３が取り外されると、容器本体２を絞ることにより、吐出部２ｂから内容物を吐出させることができる。このとき、倒立姿勢での保管中に内容物は自重で吐出部２ｂに集まっているので、キャップ３を取り外してすぐに内容物を吐出することができる。
【００３４】
内容物の吐出を終えた後は、図６に示すように、平坦面４に吸着しているキャップ３の栓部３ｄに吐出部２ｂを押し込むことにより、容器本体２にキャップ３を取り付けて吐出部２ｂを閉塞することができる。
【００３５】
ここで、容器本体２の吐出部２ｂがキャップ３の栓部３ｄに押し込まれると、その押し込み力により、キャップ３の平坦面４への吸着が解除される。つまり、吐出部２ｂが栓部３ｄに押し込まれると、栓部３ｄとともに天壁３ｂの中心部分が平坦面４に向けて押され、天壁３ｂは平坦面４に向けて弾性変形する。天壁３ｂが弾性変形すると、凹面３ｈに設けられた突起５が平坦面４に当接し、栓部３ｄを介して天壁３ｂに加えられる押し込み力が、突起５を支点として、天壁３ｂの外周縁３ｃに、これを上に引き上げる力として加えられる。これにより、天壁３ｂの外周縁３ｃが平坦面４から持ち上げられ、凹面３ｈの内部の空間Ｓが外部と連通して、天壁３ｂの平坦面４への吸着が解除される。したがって、片手で容器本体２を持ち、平坦面４に吸着したキャップ３の栓部３ｄに容器本体２の吐出部２ｂを押し込むことにより、平坦面４に吸着したキャップ３を片手で平坦面４から取り外すことができる。
【００３６】
このように、本発明のキャップ付き容器１では、天壁３ｂを凹形状に形成して吸着盤として機能させるとともに、天壁３ｂの凹面３ｈに突起５を設けて吐出部２ｂの栓部３ｄへの押し込みにより天壁３ｂの平坦面４への吸着を解除させるようにしたので、キャップ３を片手で着脱することができるとともに、使用後に、平坦面４に吸着したキャップ３を片手で平坦面４から取り外すことができる。
【００３７】
図７は、本発明の他の実施の形態であるキャップ付き容器１１の一部切り欠き断面図である。図７においては、前述した部材に対応する部材には同一の符号を付してある。
【００３８】
図１に示すキャップ付き容器１では、キャップ３の天壁３ｂを凹形状に形成して吸着盤として機能させるようにしている。これに対して、図７に示す実施の形態では、キャップ３の天壁３ｂを平板状に形成し、この天壁３ｂの天面に吸着壁１２を一体に設けるようにしている。
【００３９】
吸着壁１２は、図１の天壁３ｂと同様に、外周縁１２ａが円形の外形形状を有し、その中心部分が最深部となるように、天壁３ｂの側に向けて凹んでいる。つまり、吸着壁１２も栓部２ｄとは反対側を向く面が凹面１２ｂとなるように湾曲した凹形状となっている。また、吸着壁１２は、天壁３ｂと同様に、吐出部２ｂの栓部３ｄに対する押し込み方向に向けて弾性変形自在となっている。
【００４０】
吸着壁１２には、天壁３ｂと同様の、４つの突起５が設けられている。これらの突起５は、吸着壁１２の外周縁１２ａと、吸着壁１２の天壁３ｂへの連結部分１３に対応する位置との間に配置されている。つまり、突起５は、吸着壁１２の外周縁１２ａよりも内側、且つ、天壁３ｂとの連結部分１３が設けられる部分よりも外側において凹面１２ｂに配置されている。
【００４１】
また、吸着壁１２に外周縁１２ａには、径方向外側に延びるフランジ壁１４が一体に設けられる。
【００４２】
本実施の形態の構成においても、図１に示す場合と同様に、吸着壁１２を吸着盤として機能させるとともに、吸着壁１２の凹面１２ｂに突起５を設けて吐出部２ｂの栓部３ｄへの押し込みにより吸着壁１２の平坦面４への吸着を解除させるようにしたので、キャップ３を片手で着脱することができるとともに、使用後に、平坦面４に吸着したキャップ３を片手で平坦面４から取り外すことができるという効果を得ることができる。
【００４３】
本発明は前記実施の形態に限定されるものではなく、その要旨を逸脱しない範囲で種々変更可能であることはいうまでもない。例えば、前記実施の形態においては、容器本体２を、可撓性を有する合成樹脂製のボトルで構成するようにしているが、これに限らず、例えば、合成樹脂製のチューブなど、他の材質、形状で構成するようにしてもよい。
【００４４】
また、前記実施の形態では、突起５を、リブ形状や半球形状に形成するようにしているが、これに限らず、栓部３ｄや天壁３ｂとの連結部分１３を周方向に取り囲む環状の形状でなければ、例えば、一部に切り欠きを有するＣ字形状や、矩形のブロック状など、他の形状としてもよい。また、突起５は少なくとも１つ設けられていればよく、その個数は問わない。
【００４５】
さらに、前記実施の形態においては、容器本体２に、歯磨きペーストなどの比較的粘度の高い流動性の内容物を収容するようにしているが、これに限らず、流動性を有するものであれば、例えば調味料や化粧水等の液体など、他の内容物としてもよい。
【００４６】
さらに、前記実施の形態においては、吸着壁１２をキャップ３と一体に形成するようにしているが、これに限らず、キャップ３とは別体に構成された吸着壁１２を、接着、締結部材、嵌め込み等の取り付け手段を用いてキャップ３に取り付ける構成としてもよい。
【符号の説明】
【００４７】
１  キャップ付き容器
２  容器本体
２ａ  端壁
２ｂ  吐出部
２ｃ  スリットバルブ
２ｄ  係合突起
３  キャップ
３ａ  側壁
３ｂ  天壁
３ｃ  外周縁
３ｄ  栓部
３ｅ  窪み部
３ｆ  係合溝
３ｇ  フランジ壁
３ｈ  凹面
４  平坦面
５  突起
１１  キャップ付き容器
１２  吸着壁
１２ａ  外周縁
１２ｂ  凹面
１３  連結部分
Ｓ  空間
【図１】
2013230838.tif 000003
【図２】
2013230838.tif 000004
【図３】
2013230838.tif 000005
【図４】
2013230838.tif 000006
【図５】
2013230838.tif 000007
【図６】
2013230838.tif 000008
【図７】
2013230838.tif 000009